(57)【要約】【課題】光源をＬＥＤとするＬＥＤ照明器具において、蛍光灯同様にＬＥＤ交換の可能なＬＥＤ照明器具を提供する。【解決手段】ＬＥＤ照明器具１は、複数のＬＥＤ３が配線で接続されて点灯可能に取り付けられた３枚のＬＥＤプレート２の装着が可能であると共に、装着状態にある３枚のＬＥＤプレート２のいずれの取り外しも可能である。ＬＥＤプレート２は、配線によりプリント基板上において電気的に直列に接続された複数のＬＥＤ３と、複数のＬＥＤ３に電気的に接続された接続端子（差込側）４を装備している。ＬＥＤプレート２は、接続端子（差込側）４によって、ＬＥＤ照明器具１内のＬＥＤ点灯装置と電気的に接続された接続端子（受け側）５と電気的及び機械的に接続される。【選択図】図１
2011198490.tif 000002
【特許請求の範囲】
【請求項１】
光源として複数のＬＥＤを装着するＬＥＤ照明器具において、
複数のＬＥＤが配線で接続されて点灯可能に取り付けられた複数のＬＥＤモジュールの装着が可能であると共に、装着状態にある前記複数のＬＥＤモジュールのいずれの取り外しも可能であることを特徴とするＬＥＤ照明器具。
【請求項２】
前記ＬＥＤ照明器具は、
装着状態にある前記複数のＬＥＤモジュールのどの前記ＬＥＤモジュールが取り外しされた場合にも、取り外しされずに装着されている前記ＬＥＤモジュールに取り付けられた前記ＬＥＤの点灯が可能であることを特徴とする請求項１記載のＬＥＤ照明器具。
【請求項３】
前記ＬＥＤ照明器具は、
前記複数のＬＥＤモジュールのうちの少なくとも一つのＬＥＤモジュールに代替すると共にＬＥＤが取り付けられていないダミーモジュールであって、代替される前記ＬＥＤモジュール以外の他のすべての前記ＬＥＤモジュールに取り付けられた前記ＬＥＤの点灯に影響を与えないダミーモジュールの、装着と取り外しとが可能であることを特徴とする請求項１または２のいずれかに記載のＬＥＤ照明器具。
【請求項４】
前記ＬＥＤ照明器具は、
色温度が互いに異なる少なくとも２つの前記ＬＥＤモジュールを備えたことを特徴とする請求項１〜３のいずれかに記載のＬＥＤ照明器具。
【請求項５】
前記ＬＥＤ照明器具は、
色温度が互いに異なるＬＥＤを含む少なくとも１つの前記ＬＥＤモジュールを備えたことを特徴とする請求項１〜４のいずれかに記載のＬＥＤ照明器具。
【請求項６】
前記ＬＥＤ照明器具は、
制御を受けてスイッチングし、スイッチングに応じた大きさの直流電圧であって装着状態のすべての前記ＬＥＤモジュールのすべてのＬＥＤを点灯させる直流電圧を生成するスイッチング素子を有する直流電圧生成部と、
装着状態のすべての前記ＬＥＤモジュールに供給される電力を検出し、検出された電力に基づいて、前記直流電圧生成部の前記スイッチング素子のスイッチングを制御するスイッチング素子制御部と
を有するＬＥＤ点灯装置
を備えたことを特徴とする請求項１〜５のいずれかに記載のＬＥＤ照明器具。
【請求項７】
前記装着状態の複数の前記ＬＥＤモジュールは、
いずれも複数のＬＥＤが直列接続されると共に、直列接続され、
前記ＬＥＤ点灯装置は、
前記直流電圧生成部によって生成された前記直流電圧に基づき装着状態の直列接続の複数の前記ＬＥＤモジュールに直流電流を供給すると共に、供給する前記直流電流の値を監視することで前記直流電流を定電流に制御するフィードバック制御により前記直流電流を定電流として装着状態の直列接続の複数の前記ＬＥＤモジュールに供給する定電流供給部と、
装着状態の直列接続の複数の前記ＬＥＤモジュールの全体に印加されるＬＥＤ電圧を検出するＬＥＤ電圧検出部と
を備え、
スイッチング素子制御部は、
前記定電流供給部から前記定電流である前記直流電流の値を取得し、前記ＬＥＤ電圧検出部から前記ＬＥＤ電圧の値を取得し、取得した前記直流電流の値と前記ＬＥＤ電圧の値とに基づいて装着状態のすべての前記ＬＥＤモジュールに供給される電力を検出することを特徴とする請求項６記載のＬＥＤ照明器具。
【発明の詳細な説明】
【技術分野】
【０００１】
近年、省エネの観点から急速にＬＥＤ照明が普及し始めた。ＬＥＤ照明は、放電灯とは異なり、必要な電圧、電流を印加すれば点灯するため、簡単な回路構成で制御できる。一方、ＬＥＤ照明が普及するに従い、照明の質についても要求され始めた。
【先行技術文献】
【特許文献】
【０００２】
【特許文献１】特開２０１０−２１０６２号公報
【発明の概要】
【発明が解決しようとする課題】
【０００３】
現在、ＬＥＤ照明は導入初期状態であり、様々なバリエーションの器具が要求されており、一方、その要求に対応するためには多大な時間と投資が必要になる。また、従来使用されている蛍光灯は、蛍光灯が寿命になるとランプ交換により新しいランプに交換できるが、ＬＥＤ照明においては、ＬＥＤの寿命がランプの寿命に対し約３倍程度あるため、「ＬＥＤ寿命＝器具寿命」として器具ごと交換される。
しかしながら、点灯装置を含んだＬＥＤ照明器具の寿命を延ばしつつ、蛍光灯同様にＬＥＤを交換することができれば省資源につながる。また、従来の蛍光灯照明器具においては、間引き点灯が可能なものもあり、使用者が必要に応じてランプを１本間引いて使用することも可能であった。ＬＥＤ照明器具においても間引き点灯ができれば使い勝手がよい。
【０００４】
本発明は、ＬＥＤ照明器具において蛍光灯同様にＬＥＤ交換及び間引き点灯の可能なＬＥＤ照明器具の提供を目的とする。また、本発明は、点灯装置の寿命を延ばしつつ、蛍光灯同様にＬＥＤを交換可能なＬＥＤ照明器具の提供を目的とする。また、本発明は、色温度を柔軟に変えることができるＬＥＤ照明器具の提供を目的とする。
【課題を解決するための手段】
【０００５】
この発明のＬＥＤ照明器具は、
光源として複数のＬＥＤを装着するＬＥＤ照明器具において、
複数のＬＥＤが配線で接続されて点灯可能に取り付けられた複数のＬＥＤモジュールの装着が可能であると共に、装着状態にある前記複数のＬＥＤモジュールのいずれの取り外しも可能であることを特徴とする。
【発明の効果】
【０００６】
本発明により、ＬＥＤ照明器具において、蛍光灯同様にＬＥＤ交換の可能なＬＥＤ照明器具を提供できる。
【図面の簡単な説明】
【０００７】
【図１】実施に形態１におけるＬＥＤ照明器具１の外観を示す図。
【図２】実施に形態１におけるＬＥＤプレート２を示す図。
【図３】実施に形態１におけるＬＥＤダミープレート６を示す図。
【図４】実施に形態１におけるＬＥＤ照明器具１がＬＥＤダミープレート６を１枚装着した例を示す図。
【図５】実施に形態１におけるＬＥＤ照明器具１がＬＥＤダミープレート６を２枚装着した例を示す図。
【図６】図１に対応するＬＥＤと直列接続方式のＬＥＤ点灯装置１００ａとの接続関係を示した図。
【図７】図４に対応するＬＥＤと直列接続方式のＬＥＤ点灯装置１００ａとの接続関係を示した図。
【図８】図５に対応するＬＥＤと直列接続方式のＬＥＤ点灯装置１００ａとの接続関係を示した図。
【図９】図１に対応するＬＥＤと並列接続方式のＬＥＤ点灯装置１００ｂとの接続関係を示す図。
【図１０】図４に対応するＬＥＤと並列接続方式のＬＥＤ点灯装置１００ｂとの接続関係を示す図。
【図１１】図５に対応するＬＥＤと並列接続方式のＬＥＤ点灯装置１００ｂとの接続関係を示す図。
【図１２】実施に形態１における直列接続方式のＬＥＤ点灯装置１００ａの回路構成。
【図１３】実施に形態１における直列接続方式のＬＥＤ点灯装置１００ａの別の回路構成。
【図１４】実施に形態１における並列接続方式のＬＥＤ点灯装置１００ｂ−１の回路構成。
【図１５】実施に形態１における並列接続方式のＬＥＤ点灯装置１００ｂ−１の回路構成。
【発明を実施するための形態】
【０００８】
実施の形態１．
図１は、本実施の形態１のＬＥＤ照明器具１の外観を示す図である。ＬＥＤ照明器具１は、内部に配置されたＬＥＤ点灯装置１００（図示していない）と、脱着可能なＬＥＤプレート２（ＬＥＤモジュール）を装備している。
【０００９】
（ＬＥＤプレート２）
図２はＬＥＤプレート２を示す図である。図２に示すように、ＬＥＤプレート２は、配線５によりプリント基板上において電気的に直列に接続された複数のＬＥＤ３と、複数のＬＥＤ３に電気的に接続された接続端子（差込側）４を装備している。なお、ＬＥＤプレート２の構成は、プリント基板、ＬＥＤ３、接続端子４、配線５の構成で説明しているが、ＬＥＤ３に接続されるレンズ、プリント基板の絶縁、意匠等を目的とする化粧板等が接続される。
【００１０】
（ＬＥＤダミープレート６）
図３はＬＥＤダミープレート６（ダミーモジュール）を示す図である。図３に示すように、ＬＥＤダミープレート６は、複数のＬＥＤが配置されずに、接続端子（差込側）４間を配線５により電気的に接続した構成である。
【００１１】
（端子による接続）
ＬＥＤプレート２、ＬＥＤダミープレート６は、ＬＥＤプレート２の２箇所の接続端子４、ＬＥＤダミープレート６の２箇所の接続端子４により、ＬＥＤ照明器具１内のＬＥＤ点灯装置と電気的に接続した接続端子（受け側）５と電気的及び機械的に接続する。
【００１２】
図４は、ＬＥＤ照明器具１がＬＥＤプレート２を２枚、ＬＥＤダミープレート６を１枚装着した例を示す。図１ではＬＥＤ照明器具１にＬＥＤプレート２が３枚装着されていたが、例えば、ＬＥＤ照明器具１の設置後に明るさを暗くしたいと言う場合に、３枚のＬＥＤプレート２のうち１枚をダミープレート６に変更することにより、明るさを２／３にすることが可能である。
【００１３】
図５は、ＬＥＤ照明器具１が、ＬＥＤプレート２を１枚、ＬＥＤダミープレート６を２枚装着した例を示す。図５は、図４に示した構成の明るさよりも、更に暗くしたいと言う場合に、ＬＥＤプレート２を１枚にすることにより、図１に示す構成の明るさの１／３にすることができる。
【００１４】
図４、図５の説明は、ＬＥＤ照明器具１を設置した後に明るさを変更したい場合の説明であったが、製造側の観点からは、１灯用器具（図５に対応）、２灯用器具（図４に対応）、３灯用器具（図１に対応）を、ＬＥＤプレート２とＬＥＤダミープレート６との構成で、１つの器具で実現することが可能になるため、開発期間の短縮と開発投資の抑制が可能になる。
【００１５】
また、例えば、ＬＥＤの寿命が４００００時間、照明器具の寿命が８００００時間とすると、使用４００００時間後に、従来の蛍光ランプと同じ感覚でＬＥＤプレート２を交換することにより、「ＬＥＤ寿命＝器具寿命」として器具ごと交換されている現状に対し、器具寿命を２倍にすることが可能になるため、資源の節約にもつながる。
【００１６】
図６、図７、図８は、それぞれ図１、図４、図５のＬＥＤ照明器具１における、ＬＥＤとＬＥＤ点灯装置１００ａとの接続関係を示した図である。ＬＥＤ点灯装置１００ａは、ＬＥＤプレート２を直列接続するべき直列接続方式のＬＥＤ点灯装置である。
【００１７】
ＬＥＤ照明器具１に搭載されるＬＥＤ点灯装置１００ａが定電流方式である場合、図６〜図８に示すようにＬＥＤを直列に接続することにより、ＬＥＤの接続数に関わらずにＬＥＤの電流を一定に流すことができる。
【００１８】
ＬＥＤは電流により明るさが変化するため、図６〜図８に示す接続の場合、ＬＥＤの接続数に関わらずにＬＥＤの明るさ、つまり、ＬＥＤプレート２の明るさは同じになる。よって、ＬＥＤプレート２を３枚使用した場合の明るさを１とした場合、ＬＥＤプレート２を２枚使用時は２／３、ＬＥＤプレート２を１枚使用時は１／３の明るさを得ることができる。
【００１９】
（ＬＥＤプレート２の間引き）
図９、図１０、図１１は、図１、図４、図５の照明器具における、ＬＥＤと並列方式のＬＥＤ点灯装置１００ｂとの接続関係の図示である。ＬＥＤ点灯装置１００ｂは、ＬＥＤプレート２を並列接続するべき並列接続方式のＬＥＤ点灯装置である。ＬＥＤ点灯装置１００ｂが並列方式で間引きが可能である場合、図１０，図１１に示すように、いずれかのＬＥＤプレート２を１つ、あるいは２つ間引けばよい。
【００２０】
（ＬＥＤ点灯装置）
ここで、ＬＥＤ点灯装置を説明する。一般的にＬＥＤ点灯装置は、出力電流を定電流に制御している。また、接続するＬＥＤ素子の多いもの、つまり、電力の大きいものについては、電源高調波を抑制する目的でアクティブフィルタ回路（チョッパ回路とも呼ばれる）が搭載されている。アクティブフィルタ回路は、負荷電力に相応した状態に設計されており、本発明の形態１のように負荷電力が変化するものに対しては、その性能が低下することが懸念される。
【００２１】
（ＬＥＤ点灯装置の回路構成）
図１２は、直列接続方式のＬＥＤ点灯装置１００ａ−１の回路構成例である。図１２は、前述の課題（負荷電力の変化に対するアクティブフィルタ回路の性能低下）を回避するためのＬＥＤ点灯回路方式であり、以下の動作を行う。
（１）電源整流回路部１０１は、ノイズフィルタ（図示しない）とダイオードブリッジで構成され、電源電圧（商用交流電源１７０）の整流、及び、ノイズの除去を行う回路である。
（２）アクティブフィルタ回路部１０２（直流電圧生成部）は、電源電圧波形に沿ってスイッチングを行うことにより、電源電圧を所定の直流電圧に昇圧すると共に入力電流波形を整形して力率および高調波を改善する回路である。アクティブフィルタ回路部１０２は、チョークコイル１０２ａ、ダイオード１０２ｂ、電解コンデンサ１０２ｃ、スイッチング素子１０２ｄを備える。ＰＦＣ（Ｐｏｗｅｒ  Ｆａｃｔｏｒ  Ｃｏｎｔｒｏｌｌｅｒ）は力率改善回路である。
アクティブフィルタ制御ＩＣであるＰＦＣ２０７には、例えば、ＳＴマイクロエレクトロニクス（株）製のＬ６５６１が使用される。抵抗２０４、抵抗２０５は、アクティブフィルタ回路部１０２の出力電圧を検出して、ＰＦＣ２０７に入力する。ＰＦＣ２０７は、この入力電圧が一定になるように、スイッチング素子１０２ｄであるＦＥＴのスイッチング動作を制御する。つまり、アクティブフィルタ回路部１０２の出力電圧は、抵抗２０４、２０５の抵抗分圧で設定される。また、抵抗２０１、抵抗２０２は、電源整流回路部１０１で全波整流された脈流波形をＰＦＣ２０７に入力する。また、抵抗２０３は、スイッチング素子１０２ｄのスイッチング動作によりソースに流れる電流を検出し、電圧に変換する。ＰＦＣ２０７は、抵抗２０３で検出された電圧値と、前述の抵抗２０１、２０２で検出された電圧との比較を行い、スイッチング素子１０２ｄのＯＦＦを決定する。つまり、ＰＦＣ２０７は入力電流が全波整流電圧波形の崩落線に沿って流れるように、スイッチング素子１０２ｄのＯＮ時間を決定する。チョークコイル１０２ａの２次巻き線から検出される電圧は、チョークコイル１０２ａの１次側に流れる電流の０クロスを検出するものであり、ＰＦＣ２０７に入力されてスイッチング素子１０２ｄのＯＦＦからＯＮを決定する。つまり、ＰＦＣ２０７は、チョークコイル１０２ａの１次側の電流が０になったことを検出して、スイッチング素子２０７をＯＮさせる。（３）インバータ回路部１０３は、アクティブフィルタ回路部１０２で昇圧された直流電圧を、インバータ制御回路部１０５から出力される逆極性の電圧でＦＥＴ１０８及びＦＥＴ１０９を交互にスイッチングすることにより、高周波電圧を発生させる回路である。
（４）負荷回路部１０４は、周波数によりインダクタ１１０のインピーダンスを変化させることにより直列に接続された発光ダイオード素子１０７に流れる電流を調整するものである。コンデンサ１１１は結合コンデンサである。
（５）整流回路部１０６はダイオード１１３〜１１６からなり、直列に接続された発光ダイオード素子１０７に直流電流を流すものである。
（６）帰還制御回路部１３０は、直列に接続された発光ダイオード素子１０７に流れる電流を電流検出抵抗１１８により電圧に変換して検出し、ダイオード１２１で整流し、抵抗１２２とコンデンサ１２３で平均値を求めて、比較器１２０に入力し、基準電圧１１９と比較しながらその差分をインバータ制御回路部１０５に出力する。
（７）インバータ制御回路部１０５は、インバータ回路部１０３の動作周波数を制御するもので、比較器１２０の出力に従い周波数若しくはＤＵＴＹを制御する。
（８）ＬＥＤ電圧検出回路部１４０（ＬＥＤ電圧検出部）は、直列に接続されたＬＥＤ素子の電圧を抵抗１４１、抵抗１４２により検出し、コンデンサ１４３はその電圧を平均化するもので、演算回路部１５１に入力される。また、帰還制御回路部１３０のコンデンサ１２３に発生する平均電圧も演算回路部１５１に入力される。
（９）演算回路部１５１は、コンデンサ１２３より入力される発光ダイオード素子１０７に流れる電流とコンデンサ１４３から入力されるＬＥＤ電圧の積を求め、電力を計算する。
（１０）指令値出力回路部１５２は、算出された電力値に伴い、適切な動作条件をアクティブフィルタコントロールＩＣに出力する。演算回路部１５１と指令値出力回路部１５２とはマイクロコンピュータ１５０（スイッチング素子制御部）で実現される。
【００２２】
以下の（Ａ）〜（Ｄ）において、アクティブフィルタ回路部１０２のスイッチング素子１０２ｄに対する制御動作を説明する。上記のように、アクティブフィルタ回路部１０２は、制御を受けてスイッチングし、スイッチングに応じた大きさの直流電圧であって装着状態のすべてのＬＥＤプレート２のすべてのＬＥＤ３を点灯させる直流電圧を生成するスイッチング素子１０２ｄを有する。演算回路部１５１と指令値出力回路部１５２とを構成するマイコン１５０は、装着状態のすべてのＬＥＤプレート２に供給される電力を検出し、検出された電力に基づいて、アクティブフィルタ回路部１０２のスイッチング素子１０２ｄのスイッチングを制御する。
（Ａ）図１２のＬＥＤ点灯装置１００ａ−１は、定電流方式であり、インバータ回路部１０３、負荷路部１０４、インバータ制御回路部１０５及び帰還制御回路部１３０から、定電流を供給する定電流供給部２１０が構成される。定電流供給部２１０のインバータ回路部１０３、負荷路部１０４、インバータ制御回路部１０５は、アクティブフィルタ回路部１０２によって生成された直流電圧に基づき装着状態の直列接続の複数のＬＥＤプレート２に直流電流を供給する。その場合に帰還制御回路部１３０が、供給される直流電流の値を監視する。帰還制御回路部１３０が監視結果をインバータ制御回路部１０５にフィードバックすることで、定電流を装着状態の直列接続の複数のＬＥＤプレート２に供給できる。
（Ｂ）ＬＥＤ電圧検出回路部１４０は、装着状態の直列接続の複数のＬＥＤプレート２の全体に印加されるＬＥＤ電圧を検出する。
（Ｃ）マイコン１５０（スイッチング素子制御部）は、帰還制御回路部１３０から定電流値を取得し、またＬＥＤ電圧検出回路部１４０からＬＥＤ電圧の値を取得し、取得した直流電流の値とＬＥＤ電圧の値とに基づいて装着状態のすべてのＬＥＤプレート２に供給される電力を検出する。
（Ｄ）マイコン１５０は、検出された電力に基づいて、ＰＦＣを介して、スイッチング素子１０２ｄのスイッチングを制御する。
以下では、例えば負荷出力が１００％から１０％になった場合を説明する。図１２はＬＥＤプレート２が３枚装着されているが、例えばＬＥＤプレート２が１０枚装着されており、この１０枚の状態から１枚になり、残り９枚がＬＥＤダミープレート６に交換されたような場合である。負荷出力が低下すると、電解コンデンサ１０２ｃの消費が減るため、スイッチング素子１０２ｄに流れる電流が低下していく。これに伴い、抵抗２０３から検出される電圧は低下していく。このＰＦＣ２０７として使用されるＩＣは小信号のＩＣであり、入力される信号は１Ｖ程度である。負荷出力が１００％から１０％になると、抵抗２０３から検出される電圧は０．１Ｖ程度に低下する。この場合、ＰＦＣ２０７は０．１Ｖ程度の電圧とノイズとの判別ができずに誤動作し、その結果、力率低下、高調波規格オーバーという課題が発生する。この課題は、負荷電力を判別して、アクティブフィルタ回路部１０２の設定値を変えることで対応できる。
すなわち、図１２に示す構成は以下の様に動作するので、この課題を解決できる。
（１）マイコン１５０によって負荷電力を検出し、検出される電力が規定の電力値以上になった場合に、つまり、抵抗２０３に発生する電圧が検出電力に伴って高くなった場合に、指令値出力回路部１５２からスイッチＳＷをＯＮさせる信号をスイッチＳＷに送出してスイッチＳＷをＯＮにする。スイッチＳＷのＯＮにより抵抗２０６と並列接続にすることで抵抗２０３の合成抵抗値を低下させる。逆に、検出される電力が規定の電力値以下になった場合に（１００％から１０％になった場合）、つまり、抵抗２０３に発生する電圧が低くなった場合に、指令値出力回路部１５２からスイッチＳＷをＯＦＦさせる信号をスイッチＳＷに送出してスイッチＳＷをＯＦＦにする。スイッチＳＷのＯＦＦにより、抵抗２０６の並列接続を抵抗２０３から切断して抵抗２０３の単独抵抗値とし、抵抗２０６との合成抵抗値よりも大きくする。この場合、１０％出力であっても、抵抗２０３の検出電圧はそれほど小さくならない。これにより、負荷出力の小さいときにも抵抗２０３に発生する電圧が極端に小さくならない。このため、ＰＦＣ２０７は誤動作することなく、スイッチング素子１０２ｄを正しく駆動するので上記課題を解決できる。以上のように、ＬＥＤ点灯装置１００ａ−１では、抵抗２０３の抵抗値を変化させて（抵抗２０６との並列接続のＯＮ、ＯＦＦ）、スイッチング素子１０２ｄのＯＮ、ＯＦＦタイムを制御する。つまり、マイコン１５０は、ＬＥＤモジュールに供給される電力を検出し、検出された電力に基づいて、スイッチング素子１０２ｄのスイッチングを制御する。これにより、負荷出力の変動によるスイッチング素子１０２ｄの意図しない動作を回避できる。
【００２３】
以上の動作により、アクティブフィルタ回路部１０２は、負荷電力（トータルのＬＥＤの電力）に相応した状態で出力させることができ、負荷電力が変化した場合においても、その性能が低下することはない。
【００２４】
図１３は、直列接続方式のＬＥＤ点灯装置１００ａ−２おける別のＬＥＤ点灯回路方式の回路図である。図１３は、負荷電力を、インバータ回路部１０３に挿入した電流検出抵抗１６１より検出する構成である。この場合、負荷電力は昇圧電圧と電流検出抵抗１６１に流れる電流値の積で求めることができる。照明器具に搭載されるＬＥＤ点灯装置１００が後述の図１４で説明する並列方式で、かつ、間引きが可能である場合、図９〜図１１に示すように、ＬＥＤを並列に接続すれば良い。この場合のＬＥＤダミープレート６は、接続端子間を電気的に接続しないものでよい。図１３では、マイコン１５０は、抵抗１６１から負荷回路電流を取得するのみで、電力の算出に必要な昇圧電圧は検出していないが、これは以下の理由による。アクティブフィルタ回路部１０２の説明で述べたように、ＰＦＣ２０７の出力電圧は、抵抗２０４、２０５で決定される。つまり、設計時においてはアクティブフィルタ回路部１０２の出力電圧は確定されているため、あらかじめ、マイコン１５０のプログラムにおいてこの出力電圧に対応する値を考慮することが可能である。すなわち、出力電圧が既にマイコン１５０のプログラムに記載されているため、出力電流のみを検出することにより、出力電力を算出することが可能である。あるいは、マイコン１５０は、図１３における抵抗２０５に発生する電圧をモニタすることによって、昇圧電圧を算出することも可能である。
【００２５】
図１４、図１５は、図１３に対応する並列点灯方式のＬＥＤ点灯装置１００ｂ−１の回路図である。ＬＥＤ点灯装置１００ｂ−１の回路図を２分割して、図１４、図１５とした。図１４の（Ａ）、（Ｂ）、（Ｃ）は、それぞれ図１５の（Ａ）、（Ｂ）、（Ｃ）に接続する。
【００２６】
図１４、図１５に示すような並列点灯方式では、負荷回路部１０４が並列に接続される構成となる。図１４、図１５では負荷回路部１０４Ａ〜１０４Ｃの並列接続の場合を示した。ＬＥＤ電流のフィードバック制御は、ダイオード１２１Ａ〜１２１Ｃにより、ＬＥＤ電流が最大になるＬＥＤモジュール（ＬＥＤモジュール１０７Ａ〜１０７ＣのうちＬＥＤ電流最大）の電流がフィードバックされる。負荷回路部１０４Ａ，１０４Ｂ，１０４Ｃは同じ定数で設計されており、ＬＥＤモジュールはどのＬＥＤモジュールも同じ仕様のものが装着されるため、部品のばらつきの範囲内でＬＥＤ電流が大きいものがフィードバックされる構成となっている。上記構成の場合、ＬＥＤダミープレートとして、端子間を短絡したモジュールを使用すると、ＬＥＤプレートを接続した場合よりも大きな電流が流れる。前述の理由により、最も大きな電流がフィードバックされる、つまり、ＬＥＤダミープレートに流れる電流がフィードバックされるため、ＬＥＤプレートに流れる電流が減少して暗くなる。一方、並列点灯方式の場合、ＬＥＤダミープレートを端子間オープンにすることにより、ＬＥＤダミープレートを接続した負荷回路部には電流が流れないため、フィードバックされる電流は、ＬＥＤプレートに流れている電流が検出される。つまり、間引きして点灯させてもＬＥＤは正規の明るさで点灯する。
【００２７】
本実施の形態１により、１灯用器具、２灯用器具、３灯用器具をＬＥＤプレート２とＬＥＤダミープレート６の構成で１つの器具で実現することが可能になるため、開発期間の短縮と開発投資の抑制を行うことが可能になる。
また、照明器具設置後にエンドユーザーが任意の明るさに設定できるため、様々な明るさのニーズに合わせた使用ができる。
さらに、ＬＥＤ点灯装置の寿命を長くした場合を前提に、ＬＥＤプレートをエンドユーザーが従来の蛍光ランプと同じ感覚で交換することが可能になるため、器具寿命を現状より長くすることが可能になり、資源の節約にもつながる。
【００２８】
実施の形態２．
色温度の異なるＬＥＤプレート２を提供することで、エンドユーザーは任意に色温度を変更することが可能になり、様々なニーズに対応することができる。
【００２９】
ＬＥＤプレート２は、単色（同じ色温度）のＬＥＤで構成されてもよいし、複数色（異なる色温度）のＬＥＤを含むように構成されても良い。
また図１のように、３枚のＬＥＤプレート２を装着する場合、３枚とも色温度の異なるＬＥＤプレート２を装着してもよいし、１枚だけ色温度の異なるＬＥＤプレート２を装着してもよいし、あるいは３枚とも同じ色温度のＬＥＤプレート２を装着してもよい。
【符号の説明】
【００３０】
ＳＷ  スイッチ、２  ＬＥＤプレート、６  ＬＥＤダミープレート、１００ａ，１００ａ−１，１００ａ−２，１００ｂ，１００ｂ−１  ＬＥＤ点灯装置、１０１  電源整流回路部、１０２  アクティブフィルタ回路部、１０２ａ  チョークコイル、１０２ｂ  ダイオード、１０２ｃ  電解コンデンサ、１０２ｄ  スイッチング素子、１０３  インバータ回路部、１０４  負荷回路部、１０５  インバータ制御回路部、１０６  整流回路部、１０７  発光ダイオード、１０８  ＦＥＴ  Ｑ１、１０９  ＦＥＴ  Ｑ２、１１０  インダクタＬ１、１１１  コンデンサＣ１、１１２  電圧検出抵抗、１１３  ダイオードＤ１、１１４  ダイオードＤ２、１１５  ダイオードＤ３、１１６  ダイオードＤ４、１１８  電流検出抵抗Ｒ１、１１９  基準電圧Ｖｒｅｆ、１２１  ダイオードＤ５、１２２  抵抗Ｒ２、１２３  コンデンサＣ４、１３０  帰還制御回路部、１４０  ＬＥＤ電圧検出回路部、１４１  電圧検出抵抗、１４３  コンデンサＣ４、１５０  マイクロコンピュータ、１５１  演算回路部、１５２  指令値出力回路部、１６１  検出抵抗、１６２  検出抵抗、１６３  コンデンサ、１７０  商用交流電源、２０１，２０２，２０３，２０４，２０５，２０６  抵抗、２０７  ＰＦＣ、２１０  定電流供給部。
【図１】
2011198490.tif 000003
【図２】
2011198490.tif 000004
【図３】
2011198490.tif 000005
【図４】
2011198490.tif 000006
【図５】
2011198490.tif 000007
【図６】
2011198490.tif 000008
【図７】
2011198490.tif 000009
【図８】
2011198490.tif 000010
【図９】
2011198490.tif 000011
【図１０】
2011198490.tif 000012
【図１１】
2011198490.tif 000013
【図１２】
2011198490.tif 000014
【図１３】
2011198490.tif 000015
【図１４】
2011198490.tif 000016
【図１５】
2011198490.tif 000017